(57)【要約】【課題】面白味を増すことができるパチンコ機を実現する。【解決手段】大当りが発生したときの大入賞口開閉パターンＡは、大入賞口の開口タイミングと、大入賞口から入賞した遊技球の流下経路を振分ける振分部材の動作タイミングとがずれているため、大入賞口から入賞した遊技球は振分部材によって振り分けられ、特定領域スイッチによって検出される方向へ流下する確率が高くなり、ラウンド継続率が高くなる。大入賞口開閉パターンＢは、振分部材の動作開始タイミングと略同じタイミングで大入賞口が開口するため、大入賞口から入賞した遊技球は振分部材によって振分けられないため、特定領域スイッチによって検出される方向へ流下する確率が低く、ラウンド継続率が低くなる。【選択図】図１６
2016007262.tif 000002
【特許請求の範囲】
【請求項１】
遊技球の流下領域が形成された遊技盤と、
前記流下領域へ遊技球を発射する発射装置と、
前記遊技領域に設けられた遊技球受入れ口と、
前記流下領域に設けられた構造物と、
前記構造物に設けられており、前記流下領域を流下する遊技球を前記構造物の内部へ取込む開口部と、
前記開口部を開閉する開閉部材と、
遊技球が前記遊技球受入れ口に受入れられた場合に前記開閉部材を開閉させる開閉手段と、
前記構造物に形成されており、前記開口部から取込まれた遊技球の流下方向を変化させるために動作する動作体と、
前記開口部から取込まれた遊技球を検出する第１の検出手段と、
前記動作体によって変化された特定の流下方向に流下した遊技球を受入れ可能な特定の遊技球受入れ口と、
前記特定の遊技球受入れ口に受入れられた遊技球を検出する第２の検出手段と、
前記第１の検出手段により遊技球が検出されたときに賞球を払出す賞球払出装置と、を備えており、
前記第２の検出手段により遊技球が検出されたときに前記開閉部材が開閉動作するパチンコ機において、
前記構造物は、前記開口部から取込まれた遊技球の流下方向が前記開閉部材の開放動作タイミングおよび前記動作体の動作タイミングによって決定され易い構造であり、
前記第２の検出手段により遊技球が検出されたときに前記開閉部材が開閉する開閉パターンとして、前記開口部から取込まれた遊技球が前記特定の流下方向に流下する確率が高い第１の開閉パターンと、前記開口部から取込まれた遊技球が前記特定の流下方向に流下する確率が低い第２の開閉パターンとを少なくとも有する複数の開閉パターンが選択可能に設定された開閉パターン設定手段と、
前記開閉パターン設定手段の中から所定の開閉パターンを抽選により選択する開閉パターン選択手段と、を備えており、
前記第２の検出手段により遊技球が検出されたときに、前記開閉パターン選択手段により選択された開閉パターンにて前記開閉部材を開閉させることを特徴とするパチンコ機。
【請求項２】
前記開閉部材が前記第１または第２の開閉パターンにて開閉するときに、前記開口部の開口時間の延べ時間は、前記第１および第２の開閉パターン間で同一となるように前記第１および第２の開閉パターンが構成されていることを特徴とする請求項１に記載のパチンコ機。
【発明の詳細な説明】
【技術分野】
【０００１】
この発明は、遊技盤に設けられた遊技球受入れ口と、特定の遊技球受入れ口を内部に有する構造物と、この構造物に設けられた開口部を開閉する開閉部材とを備え、遊技球が遊技球受入れ口に受入れられた場合に上記の開閉部材が開閉し、そのとき形成された開口部から取込まれた遊技球が上記の特定の遊技球受入れ口に受入れられた場合に大当りが発生し、上記の開閉部材が所定回数連続して開閉するパチンコ機に関する。
【背景技術】
【０００２】
図２２は、従来のパチンコ機の主な構成を示す正面図である。
遊技者がパチンコ機８００に設けられた発射ハンドル８０１を操作すると、遊技球が遊技盤８０２へ発射される。そして、その遊技球が、遊技盤８０２の下部に設けられた遊技球受入れ口８０３に受入れられると、所定個数の賞球が払出され、構造物８０５に設けられた開閉部材８０７が横方向に１回往復動し、構造物８０５の開口部を１回開閉する。また、遊技球が遊技球受入れ口８０４に受入れられた場合は、所定個数の賞球が払出され、開閉部材８０７が横方向に２回往復動し、開口部を２回開閉する。そして、その開口部から取込まれた遊技球が、構造物８０５の内部に設けられた特定の遊技球受入れ口に受入れられると大当りが発生し、開閉部材８０７が所定回数連続して往復動し、開口部が所定回数連続して開閉する。また、開閉部材８０７が所定回数連続して往復動しているときに、開口部から取込まれた遊技球が所定個数に達した場合は、開閉部材８０７の所定回数の連続往復動は終了する。以下、開閉部材８０７が往復動を行っている期間をラウンドと称し、ラウンドを行っているときの遊技を大当り遊技と称する。
【０００３】
また、ラウンド中に、再度、遊技球が特定の遊技球受入れ口に受入れられた場合は、現在行われているラウンドが終了してから、再度、ラウンドが開始される。このように、ラウンド中に遊技球が特定の遊技球受入れ口に受入れられると、次のラウンドを継続して行うことが約束され、このラウンドの継続は、ラウンド数が特定のラウンド数に達するまで行うことができる。１ラウンド当りの開口部の開閉回数および継続可能なラウンド数は、パチンコ機の機種によって異なる。
【先行技術文献】
【特許文献】
【０００４】
【特許文献１】特開２００６−３１４８３７号公報（第３〜６段落、図２１）
【発明の概要】
【発明が解決しようとする課題】
【０００５】
しかし、前述した従来のパチンコ機８００は、ラウンドにおける開閉部材８０７の動作パターンが一定であるため、面白味に欠けるという問題がある。
【０００６】
そこでこの発明は、上述の問題を解決するために成されたものであり、面白味を増すことができるパチンコ機を実現することを目的とする。
【課題を解決するための手段】
【０００７】
（請求項１に係る発明）
上記の目的を達成するため、この出願の請求項１に係る発明では、遊技球（Ｐ）の流下領域が形成された遊技盤（５）と、前記流下領域へ遊技球を発射する発射装置（４ｆ）と、前記遊技領域に設けられた遊技球受入れ口（２０，２１）と、前記流下領域に設けられた構造物（５０）と、前記構造物に設けられており、前記流下領域を流下する遊技球を前記構造物の内部へ取込む開口部（５１ａ，５２ａ）と、前記開口部を開閉する開閉部材（５１，５２）と、遊技球が前記遊技球受入れ口に受入れられた場合に前記開閉部材を開閉させる開閉手段（５１ｃ，５２ｃ）と、前記構造物に形成されており、前記開口部から取込まれた遊技球の流下方向を変化させるために動作する動作体（５５，５６）と、前記開口部から取込まれた遊技球を検出する第１の検出手段（５１ｂ，５２ｂ）と、前記動作体によって変化された特定の流下方向に流下した遊技球を受入れ可能な特定の遊技球受入れ口（５９）と、前記特定の遊技球受入れ口に受入れられた遊技球を検出する第２の検出手段（５９ａ）と、前記第１の検出手段により遊技球が検出されたときに賞球を払出す賞球払出装置（８１）と、を備えており、前記第２の検出手段により遊技球が検出されたときに前記開閉部材が開閉動作するパチンコ機（１）において、
前記構造物は、前記開口部から取込まれた遊技球の流下方向が前記開閉部材の開放動作タイミングおよび前記動作体の動作タイミングによって決定され易い構造であり、
前記第２の検出手段により遊技球が検出されたときに前記開閉部材が開閉する開閉パターンとして、前記開口部から取込まれた遊技球が前記特定の流下方向に流下する確率が高い第１の開閉パターン（大入賞口開閉パターンＡ）と、前記開口部から取込まれた遊技球が前記特定の流下方向に流下する確率が低い第２の開閉パターン（大入賞口開閉パターンＢ）とを少なくとも有する複数の開閉パターンが選択可能に設定された開閉パターン設定手段（１０２）と、
前記開閉パターン設定手段の中から所定の開閉パターンを抽選により選択する開閉パターン選択手段（Ｓ６）と、を備えており、
前記第２の検出手段により遊技球が検出されたときに、前記開閉パターン選択手段により選択された開閉パターンにて前記開閉部材を開閉させる（Ｓ１４〜Ｓ２９）という技術的手段を用いる。
【０００８】
（請求項２に係る発明）
また、請求項２に係る発明では、請求項１に記載のパチンコ機（１）において、前記開閉部材（５１，５２）が前記第１（大入賞口開閉パターンＡ）または第２の開閉パターン（大入賞口開閉パターンＢ）にて開閉するときに、前記開口部（５１ａ，５２ａ）の開口時間（Ｔ１，Ｔ３）の延べ時間は、前記第１および第２の開閉パターン間で同一となるように前記第１および第２の開閉パターンが構成されているという技術的手段を用いる。
【０００９】
なお、上記各括弧内の符号および用語は、後述する実施形態に記載の具体的手段との対応関係を示すものである。
【発明の効果】
【００１０】
（請求項１に係る発明）
請求項１に係る発明を実施すれば、開口部から取込まれた遊技球が特定の流下方向に流下する確率が高い第１の開閉パターンと、開口部から取込まれた遊技球が前記特定の流下方向に流下する確率が低い第２の開閉パターンとを少なくとも有する複数の開閉パターンの中から所定の開閉パターンを抽選により選択し、遊技球が特定の遊技球受入れ口に受入れられたときに、上記の選択した開閉パターンにて開閉部材を開閉させることができる。
したがって、遊技球が特定の遊技球受入れ口に受入れられたときの開閉部材の開閉パターンが一定ではないため、面白味を増すことができる。
しかも、遊技者は、遊技球が特定の遊技球受入れ口に受入れられたときに、開口部から取込まれた遊技球が特定の流下方向に流下する確率が高い第１の開閉パターンが選択されるか否か、スリルのある遊技を楽しむことができる。
【００１１】
（請求項２に係る発明）
また、請求項２に係る発明を実施すれば、開閉部材が第１または第２の開閉パターンにて開閉するときに、開口部の開口時間の延べ時間が、第１および第２の開閉パターン間で同一となるように第１および第２の開閉パターンが構成されているため、開口部の開口時間の延べ時間が開閉パターン間で異なることに起因する遊技者間の不公平をなくすことができる。
【図面の簡単な説明】
【００１２】
【図１】この発明の実施形態に係るパチンコ機１を斜め前方から見た斜視図である。
【図２】図１に示すパチンコ機１の正面図である。
【図３】図１に示すパチンコ機１の平面図である。
【図４】図１に示すパチンコ機１を斜め後方から見た斜視図である。
【図５】図１に示すパチンコ機１の背面における内部構造の一部を示す部分背面図である。
【図６】図１に示すパチンコ機１に設けられた遊技盤５の正面図である。
【図７】図６に示す遊技盤５に設けられた特別図柄表示装置３１，３２の拡大図である。
【図８】図６に示す遊技盤５に設けられたセンター飾り５０の拡大図である。
【図９】図８のＢ−Ｂ矢視断面図である。
【図１０】図８に示すセンター飾り５０の分解斜視図である。
【図１１】振分部材５５，５６の非作動時における遊技球の流下経路を示す説明図である。
【図１２】振分部材５５，５６の作動時における遊技球の流下経路を示す説明図である。
【図１３】（ａ）は遊技球が特定領域スイッチ５９ａを通過するときの流下経路を示す説明図であり、（ｂ）は遊技球が特定領域スイッチ５９ａを通過しないときの流下経路を示す説明図である。
【図１４】（ａ）は開閉部材５１，５２が非作動時の状態を示す説明図であり、（ｂ）は開閉部材５１，５２が作動時の状態を示す説明図である。
【図１５】（ａ）は振分部材５５，５６が非作動時の状態を示す説明図であり、（ｂ）は振分部材５５，５６が作動時の状態を示す説明図である。
【図１６】振分部材、大入賞口開閉パターンＡおよび大入賞口開閉パターンＢのタイミングチャートである。
【図１７】パチンコ機１の主な電気的構成をブロックで示す説明図である。
【図１８】パチンコ機１の主な電気的構成をブロックで示す説明図である。
【図１９】主制御用ＭＰＵ５１が実行する特別図柄遊技処理の流れを示すフローチャートである。
【図２０】主制御用ＭＰＵ５１が実行する大当り遊技処理の流れを示すフローチャートである。
【図２１】図２０に示す大当り遊技処理の続きを示すフローチャートである。
【図２２】従来のパチンコ機の主な構成を示す正面図である。
【発明を実施するための形態】
【００１３】
［主要構成］
最初に、この発明の実施形態に係るパチンコ機の主要構成について図を参照して説明する。図１は、この実施形態に係るパチンコ機を斜め前方から見た斜視図であり、図２は、図１に示すパチンコ機１の正面図である。図３は、図１に示すパチンコ機１の平面図である。図４は、図１に示すパチンコ機１を斜め後方から見た斜視図であり、図５は、図１に示すパチンコ機の背面における内部構造の一部を示す部分背面図である。
【００１４】
パチンコ機１の左側には、ＩＣカードに記録されている残高の読取り、残高の書込み、現金の読取りなどを行う遊技台用台間機１６が設けられている。遊技台用台間機１６には、紙幣を挿入するための紙幣挿入口１６ａと、ＩＣカードを挿入するためのＩＣカード挿入口１６ｂとが設けられている。紙幣挿入口１６ａに紙幣を挿入すると、その挿入された紙幣の金額は、遊技台用台間機１６の内部に設けられた紙幣読取り装置によって読取られる。また、ＩＣカード挿入口１６ｂに挿入されているＩＣカードに記録されている残高は、遊技台用台間機１６の内部に設けられたリーダライタによって読取られ、残高表示部６ｅに表示される。残高表示部６ｅは、残高を８セグＬＥＤや液晶を使って数字で表示する。また、紙幣読取り装置によって読取られた金額は、リーダライタにより、ＩＣカードに書込まれる。
【００１５】
パチンコ機１は、パチンコ機１をパチンコホールの島設備に取付けるための枠状の外枠セット８を備える。外枠セット８を構成する天板８ａの左端には、金属製の蝶番８ｂが取付けられている。蝶番８ｂの前端寄りの部分には、前枠セット２がヒンジ軸８ｃを介して回動可能に軸支されている。前枠セット２には、遊技球の流下領域が形成された遊技盤５（図６）が設けられており、遊技盤５の前方は、前枠セット２の開口部に設けられたガラス枠セット３によって覆われている。遊技盤５は、ガラス枠セット３を通して見るように構成されている。また、前枠セット２は、半透明の合成樹脂により形成されており、その内部には、複数色を発光可能な複数のＬＥＤが設けられている。
【００１６】
外枠セット８の裏面には、パチンコ機１へ供給する遊技球を貯留するための球タンク９５が設けられている。球タンク９５に貯留される遊技球は、島設備に配置された遊技球の供給設備から供給される。前枠セット２の右下には、遊技球を遊技盤５の流下領域へ発射する発射装置を操作するための発射ハンドル４が設けられている。発射ハンドル４には、発射強度を調節するための発射レバー４ａが回動自在に設けられている。ガラス枠セット３の下方の前枠セット２には、排出口６ｂから排出される賞球および貸球を貯留する上受け皿６が設けられている。
【００１７】
上受け皿６には、ボタン演出のタイミングになったときに遊技者が操作する演出ボタン９が設けられている。この実施形態では、演出ボタン９はプッシュ式のボタンである。
上受け皿６には、上受け皿６に貯留されている遊技球を下受け皿７へ排出させるために操作する球抜きレバー６ａと、貸球の払出しを行わせるために操作する貸出ボタン６ｃと、遊技台用台間機１００のＩＣカード挿入口１０２に挿入されているＩＣカードを返却させるために操作する返却ボタン６ｄと、ＩＣカードに記録されている残高を表示する残高表示部６ｅとが設けられている。貸出ボタン６ｃを１回押圧操作すると、最小単位の貸球が上受け皿６に払出される。たとえば、１個の貸球が４円であり、貸球の最小単位が５００円に設定されているとすると、１２５（＝５００円／４円）個の貸球が払出される。
【００１８】
上受け皿６の下方には、上受け皿６から流下した遊技球を貯留する下受け皿７が設けられている。下受け皿７の底部には遊技球を排出するための球抜き孔７ｂが開閉可能に形成されており、下受け皿７の前端には、球抜き孔７ｂを開閉させる球抜きレバー７ａがスライド可能に設けられている。また、前枠セット２には、払出すべき遊技球が無いことを報知する球切れＬＥＤ１３と、遊技球の払出しの異常を報知する払出異常ＬＥＤ１４と、ＢＧＭや効果音を再生する右スピーカ１０と、左スピーカ１１と、下スピーカ１２とが設けられている。以下、右スピーカ１０、左スピーカ１１および下スピーカ１２を総称する場合は、スピーカ１０〜１２という。
【００１９】
図４に示すように、パチンコ機１の背面上方には、遊技球を貯留するための球タンク９５が設けられている。パチンコ機１が設置されている島の上方には各パチンコ機に遊技球を供給する遊技球供給流路が配置されており、その遊技球供給流路から遊技球が球タンク９５に供給される。また、パチンコ機１の背面は、カバー９９によって覆われている。
【００２０】
図５に示すように、カバー９９の内部には、主制御基板（図１７において符号１００で示す）が収容された主制御基板ケース８０などが設けられている。主制御基板ケース８０を構成するケース本体およびカバーの境界には、その境界を跨いで帯状のＲＦタグ３００が配置されており、そのＲＦタグ３００の上には封印シール３０１が貼付されている。
【００２１】
ＲＦタグ３００は、ＲＦタグリーダと通信を行うためのアンテナと、パチンコ機１を他のパチンコ機と識別するための固有の識別情報が記憶されたＩＣチップとを備える。アンテナは、導電性の金属により膜状に形成されており、封印シール３０１を剥がすと容易に破断するように構成されている。このように、封印シール３０１を剥がすとアンテナが破断してＲＦタグ３００が機能しなくなり、ＲＦタグリーダを用いてＲＦタグ３００を読取る際に読取りエラーとなる。これにより、ＲＦタグ３００のアンテナが破断している、つまり、封印シール３０１が剥がされ、主制御基板１００に不正行為が行われていると推定することができる。
【００２２】
図４に示すように、カバー９９の下方には、発射制御基板４（図１７）が収容された発射制御基板ケース４ｈと、払出制御基板（図１７において符号２００で示す）が収容された払出制御基板ケース８３とが設けられている。主制御基板ケース８０の右方には、賞球を払出す賞球払出装置８１が設けられている。また、パチンコ機１の背面には、パチンコ機１にＡＣ２４Ｖを供給するための電源プラグ８４が接続されている。
【００２３】
［遊技盤の主要構成］
次に、パチンコ機１に備えられた遊技盤５の主要構成について図を参照して説明する。
図６は図１に示すパチンコ機１に備えられた遊技盤５の正面図である。図７は図６に示す遊技盤５に設けられた特別図柄表示装置３１，３２の拡大図である。図８は図６に示す遊技盤５に設けられたセンター飾り５０の拡大図である。図９は図８のＢ−Ｂ矢視断面図である。図１０は図８に示すセンター飾り５０の分解斜視図である。図１１は振分部材５５，５６の非作動時における遊技球の流下経路を示す説明図である。図１２は振分部材５５，５６の作動時における遊技球の流下経路を示す説明図である。図１３（ａ）は遊技球が特定領域スイッチ５９ａを通過するときの流下経路を示す説明図であり、（ｂ）は遊技球が特定領域スイッチ５９ａを通過しないときの流下経路を示す説明図である。図１４（ａ）は開閉部材５１，５２が非作動時の状態を示す説明図であり、（ｂ）は開閉部材５１，５２が作動時の状態を示す説明図である。図１５（ａ）は振分部材５５，５６が非作動時の状態を示す説明図であり、（ｂ）は振分部材５５，５６が作動時の状態を示す説明図である。
【００２４】
遊技盤５の盤面には、多数の遊技釘２８が打ち込まれており、それらの遊技釘２８が遊技球の遊技領域を規制している。遊技盤５の盤面の周囲には、発射ソレノイド（図１７において符号４ｆで示す）などの発射装置によって発射された遊技球を遊技領域に案内するためのレールセット１５が設けられている。
遊技盤５の中央には、センター飾り５０が設けられている。このセンター飾り５０は、盤面から前方へ突出する構造物であり、遊技領域の中央領域を占有している。図１０に示すように、センター飾り５０は、前飾り６２と、内部構造部６３と、背面構造部６４とから構成されている。図６に示すように、センター飾り５０には、静止画像および動画像を表示する演出表示器５３が設けられている。演出表示器５３は、大当りが発生したことを表す動画像や遊技中の演出動画像などを表示する。この実施形態では、演出表示器５３は、複数のＬＥＤをドットマトリクス状に配置したドット表示器である。
【００２５】
センター飾り５０には、第１大入賞口５１ａを開閉する第１開閉部材５１と、第２大入賞口５２ａを開閉する第２開閉部材５２とが設けられている。遊技盤５の盤面の左側には、レールセット１５の内周に沿って左サイド飾り３６が設けられている。左サイド飾り３６とセンター飾り５０との間には、遊技球が流下する左寄り遊技領域が形成されており、その左寄り遊技領域には、遊技球の流下経路を変化させる風車３５が回転自在に設けられている。また、遊技盤５の盤面の右側には、右サイド飾り３７が設けられている。右サイド飾り３７とセンター飾り５０との間には、遊技球が流下する右寄り遊技領域が形成されており、その右寄り遊技領域には、遊技球の流下経路を変化させる風車３５が回転自在に設けられている。
【００２６】
また、右サイド飾り３７において破線で囲む領域Ａには、図７に示す特別図柄表示装置３１，３２が設けられている。特別図柄表示装置３１，３２は、第１大入賞口５１ａまたは第２大入賞口５２ａから入賞した遊技球が、特定領域スイッチ５９ａ（図８）によって検出されたときに特別図柄の変動表示を開始し、所定時間経過後に所定の特別図柄を確定表示する。その確定表示された特別図柄の種類によって第１開閉部材５１および第２開閉部材５２の開閉パターンが決定する。つまり、大当りが発生したときに第１大入賞口５１ａおよび第２大入賞口５２ａの開閉パターンが決定する。
この実施形態では、特別図柄表示装置３１，３２は、それぞれ複数のＬＥＤにより構成されており、点灯したＬＥＤが特別図柄を構成する。また、右サイド飾り３７および左サイド飾り３６には、遊技の進行に応じて発光する演出用の複数のＬＥＤが設けられている。
【００２７】
左サイド飾り３６の下方には、左袖入賞口１８が設けられており、右サイド飾り３７の下方には、右袖入賞口１９が設けられている。遊技球が左袖入賞口１８または右袖入賞口１９に入賞すると所定個数の賞球が払出される。また、左寄り遊技領域および右寄り遊技領域の下方には、それぞれ第１始動口２０が設けられており、センター飾り５０の下方には、第２始動口２１が設けられている。遊技球が第１始動口２０に入賞すると第１開閉部材５１および第２開閉部材５２が１回開閉動作し、第１大入賞口５１ａおよび第２大入賞口５２ａが１回だけ所定時間開口する。また、遊技球が第２始動口２１に入賞すると第１開閉部材５１および第２開閉部材５２が２回開閉動作し、第１大入賞口５１ａおよび第２大入賞口５２ａが２回だけ所定時間ずつ開口する。また、遊技盤５の下方には、どこにも入賞などしなかった遊技球を回収するためのアウト口２２が開口形成されている。
【００２８】
図８に示すように、センター飾り５０の内部には、お釈迦様の外形を模した形状の動作体であるシャカ５４が設けられている。シャカ５４は、シャカ駆動モータ（図１８において符号５４ａで示す）と、このシャカ駆動モータと連結されたリンク機構（図示省略）によって左右方向へ動作可能になっている。また、シャカ５４の左側には、第１振分部材５５が、シャカ５４の右側には、第２振分部材５６がそれぞれ設けられている。第１振分部材５５および第２振分部材５６は、それぞれ基部を回動軸にして外方へ回動することにより、第１大入賞口５１ａまたは第２大入賞口５２ａから入賞した遊技球の流下方向を振分ける役割をしている。
【００２９】
シャカ５４の下方には、第１回転体５７および第２回転体５８がそれぞれ設けられている。図１１に示すように、第１回転体５７および第２回転体５８は、シャカ５４の下部から前方に配置されたステージ６６の上面に配置されている。第１回転体５７はステージ６６の上面と平行な円板状の回転面を有し、その回転面の周囲には、その周囲に沿って円弧状の一対の壁５７ａ，５７ａが相対向して立設されている。相対向する壁５７ａ，５７ａ間には、一対の切欠部５７ｂ，５７ｂが形成されており、各切欠部５７ｂは、遊技球が通過する大きさにそれぞれ形成されている。
【００３０】
第２回転体５８もステージ６６の上面と平行な円板状の回転面を有し、その回転面の周囲には、その周囲に沿って円弧状の一対の壁５８ａ，５８ａが相対向して立設されている。相対向する壁５８ａ，５８ａ間には、一対の切欠部５８ｂ，５８ｂが形成されており、各切欠部５８ｂは、遊技球が通過する大きさにそれぞれ形成されている。また、第１回転体５７および第２回転体５８の相対向する内側の壁５７ａ，５８ａ間には、遊技球が通過する大きさの隙間が形成されている。
【００３１】
また、ステージ６６の裏面には、特定領域としての可動球通路部材５９が配置されている。可動球通路部材５９は、前後方向に長い箱状に形成されており、上面が開口し、前端が閉塞されている。その前端は、ステージ６６の前端から突出しており、その突出した部分が、ステージ６６の先端から落下する遊技球を受入れ可能になっている。その前端から受入れられた遊技球Ｐは、底面を後方へ転動し、その底面に形成された開口部から落下するように構成されている。また、可動球通路部材５９の後端には、軸支部５９ｂが設けられており、その軸支部５９ｂは、リンク機構（図示省略）と連結されており、そのリンク機構は、可動球通路部材モータ（図１８において符号５９ｃで示す）と連結されている。
【００３２】
つまり、可動球通路部材５９は、可動球通路部材モータの駆動によってリンク機構を介して軸支部５９ｂを回動軸（図１３（ｂ）において符号Ｄ１で示す）として、左右方向に回動するように構成されている。また、可動球通路部材５９は、どの位置へ移動した状態でも、ステージ６６から落下する遊技球Ｐを受入可能である。可動球通路部材５９の下方には、可動球通路部材５９の底面の開口部から落下する遊技球Ｐを検出する特定領域スイッチ５９ａが配置されている。特定領域スイッチ５９ａが遊技球Ｐを検出すると大当りが発生する。
【００３３】
図８に示すように、センター飾り５０の内部には、第１大入賞口５１ａから入賞した遊技球を検出する第１大入賞口スイッチ５１ｂと、第２大入賞口５２ａから入賞した遊技球を検出する第２大入賞口スイッチ５２ｂとが配置されている。また、図９に示すように、センター飾り５０の内部には、第１大入賞口スイッチ５１ｂまたは第２大入賞口スイッチ５２ｂによって検出された遊技球を後方へ流下させるための通路Ｃが、後方へ下り勾配に形成されている。また、通路Ｃは、第１大入賞口スイッチ５１ｂによって検出された遊技球を左後方へ転動させ、第２大入賞口スイッチ５２ｂによって検出された遊技球を右後方へ転動させる構造になっている。
【００３４】
図１０に示すように、内部構造部６３には、通路Ｃを左後方へ転動した遊技球Ｐを左下方へ案内するための第１案内部６３ａと、通路Ｃを右後方へ転動した遊技球Ｐを右下方へ案内するための第２案内部６３ｂとが設けられている。第１案内部６３ａおよび第２案内部６３ｂは、それぞれ前後方向に延びる溝状に形成されている。第１案内部６３ａの下方には第１振分部材５５が、第２案内部６３ｂの下方には第２振分部材５６がそれぞれ配置されている。第１振分部材５５および第２振分部材５６の下方には、ステージ６３ｃが配置されている。ステージ６３ｃの上面は後方に向けて下り勾配に形成されている。
【００３５】
図１１に示すように、第１振分部材５５が外側へ回動していない起立姿勢のときは、第１案内部６３ａから流下した遊技球Ｐは、第１振分部材５５の外側に流下し、流下経路Ｍ１に沿って背面構造部６４の左側へ案内される。また、図１２に示すように、第１振分部材５５が外側へ回動した姿勢のときは、第１案内部６３ａから流下した遊技球Ｐは、第１振分部材５５によって第１振分部材５５の内側へ案内され、流下経路Ｌ１に沿ってステージ６３ｃの左上面へ案内される。
また、第２振分部材５６が外側へ回動していない起立姿勢のときは、第２案内部６３ｂから流下した遊技球Ｐは、第２振分部材５６の外側に流下し、流下経路Ｍ２に沿って背面構造部６４の右側へ案内される。また、図１２に示すように、第２振分部材５６が外側へ回動した姿勢のときは、第２案内部６３ａから流下した遊技球Ｐは、第２振分部材５６によって第２振分部材５６の内側へ案内され、流下経路Ｌ２に沿ってステージ６３ｃの右上面へ案内される。
【００３６】
図１１に示すように、背面構造部６４には、円弧面６４ａが形成されており、その円弧面６４ａには一対の凹部６４ｂ，６４ｃが形成されている。第１振分部材５５および第２振分部材５６が起立姿勢のときは、遊技球Ｐは、円弧面６４ａのうち、凹部６４ｂ，６４ｃよりも高い位置に案内され、そこから円弧面６４ａに沿って凹部６４ｂ，６４ｃに向けて転動する。左側の凹部６４ｂに案内された遊技球Ｐは、凹部６４ｂによって転動方向が前方へ変換され、ステージ６６の左側上面へ転動し、その左側上面に設けられた第１停留部６６ａに停留される。また、右側の凹部６４ｃに案内された遊技球Ｐは、凹部６４ｃによって転動方向が前方へ変換され、ステージ６６の右側上面へ転動し、その右側上面に設けられた第２停留部６６ｂに停留される。
【００３７】
図１４に示すように、第１開閉部材５１および第２開閉部材５２は、それぞれ羽根形状を呈している。第１開閉部材５１の基部は、アーム５１ｄの先端に、第２開閉部材５２の基部は、アーム５２ｄの先端にそれぞれ固定されている。アーム５１ｄは、クランク部５１ｅを介して支持部材５１ｇの左端に、アーム５２ｄは、クランク部５２ｅを介して支持部材５１ｇの右端にそれぞれ回動可能に軸支されている。
つまり、支持部材５１ｇ、クランク部５１ｅ，５２ｅおよびアーム５１ｄ，５２ｄは、第１開閉部材５１および第２開閉部材５２を回動させるためのクランク機構を構成している。
【００３８】
支持部材５１ｆには、第１大入賞口ソレノイド５１ｃおよび第２大入賞口ソレノイド５２ｃの両プランジャ５１ｆ，５２ｆが連結されている。この実施形態では、第１大入賞口ソレノイド５１ｃおよび第２大入賞口ソレノイド５２ｃは、それぞれプッシュ型のソレノイドである。図１４（ａ）に示すように、第１大入賞口ソレノイド５１ｃおよび第２大入賞口ソレノイド５２ｃがオフの状態で両プランジャ５１ｆ，５２ｆが退避した状態では、第１開閉部材５１および第２開閉部材５２は、それぞれ閉作動の状態にあり、第１大入賞口５１ａおよび第２大入賞口５２ａがそれぞれ閉口された状態になる。また、図１４（ｂ）に示すように、第１大入賞口ソレノイド５１ｃおよび第２大入賞口ソレノイド５２ｃがオンすると、両プランジャ５１ｆ，５２ｆが進出して支持部材５１ｆを下方へ押し下げ、第１開閉部材５１および第２開閉部材５２が開作動し、第１大入賞口５１ａおよび第２大入賞口５２ａがそれぞれ開口する。
【００３９】
図１５に示すように、第１振分部材５５は、縦長棒状の第１飾り部５５ａと、この第１飾り部５５ａの背面に固定された板状の第１振分部５５ｂとを備える。また、第２振分部材５６は、縦長棒状の第２飾り部５６ａと、この第２飾り部５６ａの背面に固定された板状の第２振分部５６ｂとを備える。第１振分部５５ｂは、第１飾り部５５ａが起立姿勢のときに起立姿勢になり、第２振分部材５６ｂは、第２飾り部５６ａが起立姿勢のときに起立姿勢になる。第１振分部５５ｂおよび第２振分部５６ｂは、外側へ回動したときに、上方から流下する遊技球Ｐが板面に衝突することにより、その流下方向を内側へ変化させることができる大きさに形成されている。
【００４０】
第１飾り部５５ａの基部は、アーム５５ｆの先端に固定されており、アーム５５ｆは、クランク部５５ｄを介して第１振分部材ソレノイド５５ｃのプランジャ５５ｅに連結されている。第１振分部５５ｂの後方には、アーム５５ｆに挿通されたチビシャカ５５ｇが配置されている。アーム５５ｆおよびクランク部５５ｄは、第１振分部材５５を回動させるためのクランク機構を構成している。
第２飾り部５６ａの基部は、アーム５６ｆの先端に固定されており、アーム５６ｆは、クランク部５６ｄを介して第２振分部材ソレノイド５６ｃのプランジャ５６ｅに連結されている。第２振分部５６ｂの後方には、アーム５６ｆに挿通されたチビシャカ５６ｇが配置されている。アーム５６ｆおよびクランク部５６ｄは、第２振分部材５６を回動させるためのクランク機構を構成している。チビシャカ５５ａ，５６ａは、シャカ５４を小型化したような形状を呈している。
【００４１】
この実施形態では、第１振分部材ソレノイド５５ｃおよび第２振分部材ソレノイド５６ｃは、それぞれプル型のソレノイドである。図１５（ａ）に示すように、第１振分部材ソレノイド５５ｃおよび第２振分部材ソレノイド５６ｃがオフの状態で両プランジャ５５ｅ，５６ｅが進出した状態では、第１振分部５５ｂおよび第２振分部５６ｂは、それぞれ起立した状態にある。また、図１５（ｂ）に示すように、第１振分部材ソレノイド５５ｃおよび第２振分部材ソレノイド５６ｃがオンすると、両プランジャ５５ｅ，５６ｅが退避して各クランク部５５ｄ，５６ｄがそれぞれ回動し、第１振分部５５ｂおよび第２振分部５６ｂがそれぞれ外方へ回動する。
【００４２】
［パチンコ機１の特徴］
ここで、パチンコ機１の特徴について図を参照して説明する。
図１６は、振分部材、大入賞口開閉パターンＡおよび大入賞口開閉パターンＢのタイミングチャートである。
【００４３】
発射ハンドル４を操作して発射された遊技球が、第１始動口２０に入賞すると、所定個数の賞球が払出され、第１開閉部材５１および第２開閉部材５２がそれぞれ１回開閉作動し、第１大入賞口５１ａおよび第２大入賞口５２ａがそれぞれ所定時間１回開口する。
また、遊技球が、第２始動口２１に入賞すると、所定個数の賞球が払出され、第１開閉部材５１および第２開閉部材５２がそれぞれ２回開閉作動し、第１大入賞口５１ａおよび第２大入賞口５２ａがそれぞれ所定時間ずつ２回開口する。また、第１回転体５７および第２回転体５８は常時回転し、可動球通路部材５９も常時左右方向へ回動している。
【００４４】
第１大入賞口５１ａまたは第２大入賞口５２ａから入賞した遊技球Ｐが、流下経路Ｌ１またはＬ２を通り、可動球通路部材５９に受入れられ、特定領域スイッチ５９ａによって検出されると大当りが発生する。このとき、特別図柄表示装置３１，３２が特別図柄の変動を開始し、演出表示器５３が大当り発生を祝う演出動画像を表示する。そして、特別図柄表示装置３１，３２が特別図柄の変動を停止し、所定の特別図柄を確定表示する。
大当りが発生すると、第１開閉部材５１および第２開閉部材５２が所定回数連続して開閉動作し、第１大入賞口５１ａおよび第２大入賞口５２ａが所定回数連続して開閉する。
【００４５】
また、第１大入賞口５１ａおよび第２大入賞口５２ａが１回目の開閉から所定回数開閉するまでの遊技を１ラウンドとすると、ラウンド中に再度遊技球Ｐが特定領域スイッチ５９ａによって検出されると、現在のラウンドが終了した後に次のラウンドを継続して行うことができる。また、ラウンド中において第１大入賞口５１ａおよび第２大入賞口５２ａからの入賞数が所定数に達するとラウンドが終了し、ラウンド中に遊技球が特定領域スイッチ５９ａによって検出されている場合は次のラウンドが開始される。また、再度遊技球Ｐが特定領域スイッチ５９ａによって検出される前に、第１大入賞口５１ａおよび第２大入賞口５２ａからの入賞数が所定数に達した場合は、ラウンドが終了し、次のラウンドに進むことはできない。この実施形態では、１ラウンド当りの第１大入賞口５１ａおよび第２大入賞口５２ａの開閉回数は１９回であり、最大１６ラウンドまで継続可能である。
【００４６】
パチンコ機１の特徴は、特別図柄表示装置３１，３２が確定表示した特別図柄の種類によって第１大入賞口５１ａおよび第２大入賞口５２ａの開閉パターンが異なることである。
図１６に示すように、第１大入賞口５１ａおよび第２大入賞口５２ａの開閉パターンとして、大入賞口開閉パターンＡおよび大入賞口開閉パターンＢが選択可能に設定されている。大入賞口開閉パターンＡおよび大入賞口開閉パターンＢを実行するためのデータは、主制御用ＲＯＭ（図１７において符号１０２で示す）にテーブル形式で格納されている。
この実施形態では、特別図柄表示装置３１，３２が総て点灯した特別図柄が表示されたときに大入賞口開閉パターンＡを選択し、特別図柄表示装置３１のみが点灯した特別図柄が表示されたときに大入賞口開閉パターンＢを選択する。また、大入賞口開閉パターンＡまたは大入賞口開閉パターンＢを選択する確率は、それぞれ５０％である。
【００４７】
大入賞口開閉パターンＡが選択された場合は、第１大入賞口５１ａおよび第２大入賞口５２ａはそれぞれ大入賞口開閉パターンＡに従って開閉し、大入賞口開閉パターンＢが選択された場合は、第１大入賞口５１ａおよび第２大入賞口５２ａはそれぞれ大入賞口開閉パターンＢに従って開閉する。
大入賞口開閉パターンＡおよび大入賞口開閉パターンＢは、第１大入賞口５１ａおよび第２大入賞口５２ａの開閉パターンが異なる。つまり、第１大入賞口５１ａおよび第２大入賞口５２ａが開口している時間（以下、開口時間という）および閉口している時間（以下、閉口時間という）の組み合わせが異なる。大入賞口開閉パターンＡおよび大入賞口開閉パターンＢは、それぞれ第１大入賞口５１ａおよび第２大入賞口５２ａを計１９回開閉させるパターンである。図中（１）〜（１９）は開閉回数を示す。
【００４８】
１回目（１）の開閉における開口時間は、大入賞口開閉パターンＡがＴ１時間であるのに対し、大入賞口開閉パターンＢはＴ１時間よりも長いＴ３時間である。また、１回目の開閉が終了してから１回目の開閉が開始するまでの閉口時間は、大入賞口開閉パターンＡがＴ２時間であるのに対し、大入賞口開閉パターンばはＴ２時間よりも長いＴ４時間である。
そして、大入賞口開閉パターンＡでは、２回目（２）から最終の１９回目（１９）の開閉における各開口時間はそれぞれＴ３時間であり、各閉口時間はＴ４時間である。また、大入賞口開閉パターンＢでは、２回目（２）から１８回目（１８）の開閉における各開口時間はそれぞれＴ３時間であり、各閉口時間はＴ４時間である。また、大入賞口開閉パターンＢでは、１８回目（１８）の開閉が終了してから１９回目（１９）の開口を開始する間の閉口時間はＴ２時間であり、１９回目（１９）の開口時間はＴ１時間である。
【００４９】
また、大入賞口開閉パターンＡが実行された場合は、第１振分部材５５および第２振分部材５６は、第１大入賞口５１ａおよび第２大入賞口５２ａの２回目（２）の開閉が終了した時点で作動を開始する。また、大入賞口開閉パターンＢが実行された場合は、第１振分部材５５および第２振分部材５６は、大入賞口開閉パターンＢの２回目（２）の開閉が開始するタイミングと略同じタイミングで作動を開始する。
さらに、大入賞口開閉パターンＡが実行された場合は、閉口時間内に第１振分部材５５および第２振分部材５６が作動しており、かつ、その作動時間、つまり第１振分部材５５および第２振分部材５６が外側へ回動した姿勢を維持している時間が閉口時間内に収まっている。
【００５０】
つまり、第１大入賞口５１ａおよび第２大入賞口５２ａから入賞した遊技球が、第１振分部材５５および第２振分部材５６の配置箇所へ流下したときには、図１２に示すように、第１振分部材５５および第２振分部材５６が外側へ回動した姿勢になっているため、流下した遊技球は第１振分部材５５および第２振分部材５６によってステージ６３ｃの上面に案内され、ステージ６３ｃの上面を後方へ転動し、図１３に示すように、背面構造部６３の円弧面６４ａ上を転動する。あるいは、内部構造部６３の後端に設けられた球受部６９に受け止められる。そして、円弧面６４ａ上を転動した遊技球のうち、流下経路Ｌ１に沿って流下した遊技球は、第１停留部６６ａに停留し、第１回転体５７の切欠部５７ａから第１回転体５７に取込まれ、切欠部５７ａから流出する。
【００５１】
また、円弧面６４ａ上を転動した遊技球のうち、流下経路Ｌ２に沿って流下した遊技球は、第２停留部６６ｂに停留し、第２回転体５８の切欠部５８ａから第２回転体５８に取込まれ、切欠部５８ａから流出する。また、球受部６９に受止められた遊技球は、流下経路Ｌ３に沿って流下し、第１回転体５７および第２回転体５８の間を通過して流下する。
また、流下経路Ｌ３に沿って流下した遊技球は、その流下方向に可動球通路部材５９が位置している場合は、その可動球通路部材５９に取込まれ、特定領域スイッチ５９ａによって検出され、次のラウンドが継続可能になる。
【００５２】
このように、大入賞口開閉パターンＡを実行した場合は、第１大入賞口５１ａまたは第２大入賞口５２ａから入賞した遊技球が第１振分部材５５および第２振分部材５６によって第１回転体５７および第２回転体５８の間を通過する流下経路Ｌ３に沿って流下し、可動球通路部材５９に取込まれ、特定領域スイッチ５９ａによって検出され、ラウンドを継続する確率が高い。
【００５３】
また、大入賞口開閉パターンＢが実行された場合は、第１振分部材５５および第２振分部材５６は、第１大入賞口５１ａおよび第２大入賞口５２ａの２回目（２）の開閉が開始するタイミングと略同じタイミングで作動を開始する。
さらに、大入賞口開閉パターンＢが実行された場合は、第１振分部材５５および第２振分部材５６の作動が終了し、第１振分部材５５および第２振分部材５６が起立姿勢に復帰したときも第１大入賞口５１ａおよび第２大入賞口５２ａが開口している
【００５４】
つまり、第１大入賞口５１ａおよび第２大入賞口５２ａから入賞した遊技球が、第１振分部材５５および第２振分部材５６の配置箇所へ流下したときには、図１３に示すように、第１振分部材５５および第２振分部材５６が起立した姿勢になっているため、流下した遊技球は第１振分部材５５および第２振分部材５６によって振り分けられることなく、背面構造部６３の円弧面６４ａの上面であって凹部６４ｂ，６４ｃよりも高い位置へ案内され、そこから各凹部６４ｂ，６４ｃに向けて転動し、各凹部６４ｂ，６４ｃによって流下方向が前方へ変換され、第１回転体５７または第２回転体５８に取込まれ、切欠部５７ｂまたは切欠部５８ｂからステージ６６上を転動し、ステージ６６から落下する。つまり、第１回転体５７および第２回転体５８の間を通過する流下経路に沿って流下する確率が低い。
【００５５】
このように、大入賞口開閉パターンＢを実行した場合は、第１大入賞口５１ａまたは第２大入賞口５２ａから入賞した遊技球が第１振分部材５５および第２振分部材５６によって第１回転体５７および第２回転体５８の間を通過する流下経路Ｌ３に沿って流下する流下経路に振り分けられる確率が低いため、特定領域スイッチ５９ａによって検出され、ラウンドを継続する確率が低い。
【００５６】
また、大入賞口開閉パターンＡおよび大入賞口開閉パターンＢのどちらを実行した場合でも、１回目から最終の１９回目の開閉が終了するまでの期間における第１大入賞口５１ａまたは第２大入賞口５２ａの開口時間の延べ時間は同一となるように構成されている。
この実施形態では、Ｔ１＝０．０９８秒、Ｔ２＝０．８２０秒、Ｔ３＝０．８１２秒、Ｔ４＝１．０２２秒であり、大入賞口開閉パターンＡにおける第１大入賞口５１ａおよび第２大入賞口５２ａの開口時間の延べ時間は、０．０９８秒＋（０．８１２秒×１８）＝１４．７１４秒である。また、大入賞口開閉パターンＢにおける第１大入賞口５１ａおよび第２大入賞口５２ａの開口時間の延べ時間は、（０．８１２秒×１８）＋０．０９８秒＝１４．７１４秒であり、開口時間の延べ時間は同一である。
【００５７】
また、第１大入賞口５１ａおよび第２大入賞口５２ａが開口してから第１振分部材５５および第２振分部材５６が作動するまでの時間ＴＡは１．７１２秒であり、第１振分部材５５および第２振分部材５６が作動して外側に回動した姿勢を維持している時間ＴＢは０．５９８秒であり、第１振分部材５５および第２振分部材５６が作動しないで起立した姿勢を維持している時間ＴＣは１．２３４秒である。
【００５８】
時間Ｔ１〜Ｔ４および時間ＴＡ〜ＴＣは、第１大入賞口５１ａまたは第２大入賞口５２ａから入賞した遊技球が、第１振分部材５５または第２振分部材５６によって振分可能な位置まで到達するために要する時間を測定して決定し、大入賞口開閉パターンＡが実行された場合は、第１大入賞口５１ａまたは第２大入賞口５２ａから入賞した遊技球が、外側へ回動した第１振分部材５５および第２振分部材５６によって振り分けられ、特定領域スイッチ５９ａによって検出される確率が高くなるように決定されている。
【００５９】
上述したように、パチンコ機１は、大当りが発生したときに大入賞口開閉パターンＡが選択された場合にラウンドが継続される確率が高くなり、大入賞口開閉パターンＢが選択Ｓれた場合にラウンドが継続される確率が低くなることを特徴とする。換言すると、パチンコ機１は、ラウンドが継続される確率が高い大入賞口開閉パターンＡおよびラウンドが継続される確率が低い大入賞口開閉パターンＢのどちらかを選択可能に構成されている。
【００６０】
したがって、パチンコ機１を実施すれば、大当りが発生したときの第１開閉部材５１および第２開閉部材５２の開閉パターンが一定ではないため、面白味を増すことができる。
しかも、遊技者は、大当りが発生したときに、ラウンドの継続確率が高い大入賞口開閉パターンＡが選択されるか否か、スリルのある遊技を楽しむことができる。
【００６１】
さらに、パチンコ機１を実施すれば、第１開閉部材５１および第２開閉部材５２が、大入賞口開閉パターンＡまたは大入賞口開閉パターンＢにて開閉するときに、最初の開閉から最後の開閉までの期間における第１大入賞口５１ａおよび第２大入賞口５２ａの開口時間の延べ時間が、大入賞口開閉パターンＡまたは大入賞口開閉パターンＢ間で同一であるため、第１大入賞口５１ａおよび第２大入賞口５２ａの開口時間の延べ時間が開閉パターン間で異なることに起因する遊技者間の不公平をなくすことができる。
【００６２】
［パチンコ機の主な電気的構成］
次に、パチンコ機１の主な電気的構成についてそれをブロックで示す図１７および図１８を参照して説明する。
【００６３】
図１７に示すように、主制御基板１００には、主制御用ＭＰＵ(Micro Processing Unit)１０１およびＲＴＣ（Real Time Clock)１０４が搭載されている。主制御用ＭＰＵ１０１には、主制御用ＲＯＭ１０２および主制御用ワークＲＡＭ１０３が内蔵されている。主制御用ＭＰＵ１０１は、入賞の検出、ラウンドの進行制御、ラウンド継続の判定、特別図柄の抽選、大入賞口開閉パターンの抽選など、遊技の進行に必要な処理を実行する。また、主制御用ＭＰＵ１０１は、バックアップ電源端子ＶＢＢ（図示省略）と、ＮＭＩ(Non-Maskable Interrupt）端子（図示省略）とを備えている。
【００６４】
ＲＴＣ１０４は、年月日および現在時刻を計時する。ＲＴＣ１０４は、電池（たとえば、ボタン電池）またはコンデンサ（たとえば、電気二重層コンデンサ）などのバックアップ電源（図示省略）から電源の供給を受けており、パチンコ機１に電源が供給されていないときでも年月日および現在時刻を計時している。また、主制御用ＣＰＵ１０１は、年月日および現在時刻を読取る必要のあるときにＲＴＣ１０４にアクセスして年月日および現在時刻を取得する。
【００６５】
主制御用ＲＯＭ１０２には、主制御用ＭＰＵ１０１が上記の各処理を実行するためのコンピュータプログラム、大入賞口開閉パターンが設定されたテーブル、主制御基板１００と電気的に接続された各制御基板へ送信する制御コマンドが設定された制御コマンドテーブルなどが読出し可能に格納されている。
【００６６】
主制御用ワークＲＡＭ１０３は、主制御用ＲＯＭ１０１から読出した上記のコンピュータプログラムやテーブルを一時的に格納し、主制御用ＭＰＵ１０１が上記のコンピュータプログラムを実行することにより発生する処理結果および判定結果などを読出しおよび書換え可能に格納する。また、主制御用ＲＡＭ１０３は、各入賞口スイッチおよび始動口スイッチがオンしたことを検出し、各スイッチに対応する入賞数を格納し、それを払出制御基板２００の払出制御用ＭＰＵ２０１へ送信する。さらに、主制御用ワークＲＡＭ１０３は、パチンコ機１に供給されている電源が遮断されたときにコンデンサ（図示省略）からバックアップ電源の供給を受け、大当り発生の結果などの格納データを保持する。
【００６７】
また、主制御基板１００には、左袖入賞口１８に入賞した遊技球を検出するための左袖入賞口スイッチ１８ａと、右袖入賞口１９に入賞した遊技球を検出するための右袖入賞口スイッチ１９ａと、第１始動口２０，２０に入賞した遊技球を検出するための第１始動口スイッチ２０ａ，２０ａと、第２始動口２１に入賞した遊技球を検出するための第２始動口スイッチ２１ａと、第１大入賞口スイッチ５１ｂと、第２大入賞口スイッチ５２ｂと、特定領域スイッチ５９ａと、第１大入賞口ソレノイド５１ｃと、第２大入賞口ソレノイド５２ｃとが、盤面中継端子板１０５を介して電気的に接続されている。
【００６８】
また、主制御基板１００には、外部端子板５０３が電気的に接続されており、主制御用ＭＰＵ１０１は、大当りの発生回数、大当り遊技におけるラウンド数などのデータを外部端子板５０３を介して、パチンコホールの管理室などに配置されたホールコンピュータＨＣへ送信する。
また、主制御基板１００には、特別図柄表示装置３１，３２が搭載された図柄表示基板９６が電気的に接続されている。また、主制御基板１００には、払出制御基板２００と、セキュリティ中継端子板８９と、電源基板９４とが電気的に接続されている。
【００６９】
セキュリティ中継端子板８９には、不正行為によって発生する誘導磁界を検出するための誘導磁界センサ５００と、不正行為によって発生する磁気を検出するための第１磁気センサ５０１と、第２磁気センサ５０２とが電気的に接続されている。
払出制御基板２００には、下受け皿７が遊技球で満杯になった状態を検出するための下受け皿満杯スイッチ７ｃと、扉開放中継端子板８６とが電気的に接続されている。扉開放中継端子板８６には、ガラス枠セット３が開放された状態を検出するための扉開放スイッチ８７と、外枠セット８が開放された状態を検出するための外枠開放スイッチ８８とが電気的に接続されている。
【００７０】
また、払出制御基板２００には、払出中継端子板９７が電気的に接続されており、払出中継端子板９７には、貸球および賞球を上受け皿６へ払出す部材を駆動するための払出モータ８１ｃと、この払出モータ８１ｃによって払出された遊技球を検出するための前部払出センサ８１ａ，後部払出センサ８１ｂと、払出モータ８１ｃによって払出す遊技球が存在しないことを検出する前部球切れスイッチ８１ｄ，後部球切れスイッチ８１ｅとが電気的に接続されている。また、払出制御基板２００には、払出モータ８１ｃを駆動するための駆動回路９７ａが搭載されている。駆動回路９７ａおよび払出モータ８１ｃなどが賞球払出装置８１を構成している。賞球払出装置８１には、遊技球を払出す出口が２箇所あり、一方の出口に前部払出センサ８１ａが設けられており、他方の出口に後部払出センサ８１ｂが設けられている。
【００７１】
払出制御基板２００には、払出制御用ＭＰＵ２０１が搭載されている。払出制御用ＭＰＵ２０１には、払出制御用ＲＯＭ２０２および払出制御用ワークＲＡＭ２０３が内蔵されている。払出制御用ＭＰＵ２０１は、主制御用ＭＰＵ１０１から送信される払出制御コマンドに従って駆動回路９７ａを制御し、賞球および貸球の払出しを制御する。また、払出制御用ＭＰＵ２０１は、前部払出センサ８１ａおよび後部払出センサ８１ｂからそれぞれ出力される信号の変化を検出し、払出された賞球数および貸球数を計数する。
【００７２】
さらに、払出制御用ＭＰＵ２０１は、下受け皿満杯スイッチ７ｃがオンしたことに基づき、下受け皿７が賞球で満杯になったことを検出し、払出モータ８１ｃを停止させる。下受け皿満杯スイッチ７ｃがスイッチング動作した以降に主制御用ＭＰＵ１０１から送信される入賞数は、払出制御用ＲＡＭ２０３に蓄積され、下受け皿７の満杯状態が解消され、下受け皿満杯スイッチ７ｃがオフになると、払出モータ８１ｃの動作が再開され、払出制御用ＲＡＭ２０３に蓄積されている入賞数に対応する賞球が払出される。
【００７３】
また、払出制御用ＭＰＵ２０１は、バックアップ電源端子ＶＢＢ（図示省略）と、ＮＭＩ(Non-Maskable Interrupt）端子（図示省略）とを備える。払出制御用ＲＯＭ２０２には、払出制御用ＭＰＵ２０１が実行するコンピュータプログラムなどが読出し可能に記憶されている。払出制御用ワークＲＡＭ２０３は、払出制御用ＲＯＭ２０２から読出された上記のコンピュータプログラムを格納し、払出制御用ＭＰＵ２０１が上記のコンピュータプログラムを実行することにより発生する処理結果および判定結果などを読出しおよび書換え可能に格納する。
【００７４】
さらに、払出制御用ワークＲＡＭ２０３は、未払いの賞球数および貸球数を格納し、パチンコ機１に供給されている電源が遮断されたときにコンデンサ（図示省略）からバックアップ電源の供給を受け、未払いの賞球数および貸球数を保持する。また、払出制御基板２００には、残高表示部６ｅ（図１）が搭載された残高表示基板５０４がプリペイド記録媒体読取装置接続端子板７８を介して電気的に接続されている。プリペイド記録媒体読取装置接続端子板７８には、プリペイド記録媒体読取装置１６（図１）が電気的に接続されている。
【００７５】
さらに、発射制御基板４には、遊技球を発射する発射装置を駆動する発射ソレノイド４ｆと、遊技球を発射位置へ供給する球供給装置を駆動する球送りソレノイド４ｇと、発射レバー４ａの回動量に応じて発射装置の発射強度を調節するための発射強度電子ボリューム４ｃと、遊技者が発射レバー４ａに触れたことを検出するためのタッチセンサ４ｊと、発射ソレノイド４ｆを駆動する発射スイッチ４ｅとが電気的に接続されている。
また、発射制御基板４には、発射ソレノイド４ｆを駆動するための駆動回路４ｍと、球送りソレノイド４ｇを駆動するための駆動回路４ｎとが搭載されている。
【００７６】
図１８に示すように、パチンコ機１には、画像音声制御基板６００および演出制御基板４００が搭載されている。画像音声制御基板６００には、演出表示器５３が電気的に接続されている。また、画像音声制御基板６００には、盤面演出中継端子板９２が電気的に接続されており、その盤面演出中継端子板９２には、枠部演出中継端子板９３を介して右スピーカ１０と、左スピーカ１１と、下スピーカ１２とが電気的に接続されている。
さらに、画像音声制御基板６００には、枠部ＬＥＤ駆動基板７００が電気的に接続されており、その枠部ＬＥＤ駆動基板７００には、演出ボタン９に内蔵された照光付演出スイッチ９ａ、前枠セット２に内蔵されたＬＥＤなどが電気的に接続されている。
【００７７】
画像音声制御基板６００には、画像音声制御用ＭＰＵ６０１と、駆動回路６０８と、音声制御回路６０４と、音量設定回路６０５と、デジタルアンプ６０６と、デジタルアンプ６０７とが搭載されている。画像音声制御用ＭＰＵ６０１には、画像音声制御用ＲＯＭ６０２と、画像音声制御用ＲＡＭ６０３とが内蔵されている。
【００７８】
画像音声制御用ＲＯＭ６０２には、演出表示器５３に演出用の静止画像や動画像を表示するための制御プログラム、スピーカ１０〜１２が音楽や効果音などを再生するための制御プログラムなどが格納されている。画像音声制御用ＲＡＭ６０３は、画像音声制御用ＲＯＭ６０２から読出された制御プラグラムや画像音声制御用ＭＰＵ６０１の処理結果などを一時的に格納する。演出表示器５３を駆動する駆動回路６０８は、画像音声制御用ＭＰＵ６０１によって制御され、演出表示器５３に演出用の静止画像や動画像を表示する。
【００７９】
音声制御回路６０４は、音楽や効果音などの音声データが格納された音源ＲＯＭを備えており、画像音声制御用ＭＰＵ６０１からの指示に従って音源ＲＯＭから所定の音声データを読出し、その読出した音声データを音量設定回路６０５を介してデジタルアンプ６０６，６０７へ出力する。デジタルアンプ６０６，６０７は、入力した音声データを、音量設定回路６０５に設定された音量に増幅してスピーカ１０〜１２へ出力する。
【００８０】
また、演出制御基板４００には、画像音声制御基板６００と、盤面ＬＥＤ中継端子板９１と、補助演出駆動基板４１０と、演出電源基板９０とが電気的に接続されている。盤面ＬＥＤ中継端子板９１には、遊技盤５に設けられた左サイド飾り３６および右サイド飾り３７などの各ＬＥＤが電気的に接続されている。
【００８１】
補助演出駆動基板４１０には、補助演出中継端子板５０７が電気的に接続されている。補助演出中継端子板５０７には、第１振分ソレノイド５５ｃと、第２振分ソレノイド５６ｃと、可動球通路部材モータ５９ｃと、第１回転体モータ５７ｃと、第２回転体モータ５８ｃと、シャカ駆動モータ５４ａと、シャカ５４が原点に復帰したことを検出するシャカ原点センサ５４ｂとが電気的に接続されている。
また、補助演出駆動基板４１０には、補助演出中継端子板５０７に電気的に接続された各ソレノイドおよび各モータを駆動するための駆動回路４１１が搭載されている。
【００８２】
演出制御基板４００には、演出制御用ＭＰＵ４０１が搭載されている。演出制御用ＭＰＵ４０１には演出制御用ＲＯＭ４０２および演出制御用ワークＲＡＭ４０３が内蔵されている。演出制御用ＲＯＭ４０２には、第１振分部材５５および第２振分部材５６などを所定の動作パターンで動作させるためのコンピュータプログラム、盤面ＬＥＤ中継端子板９１に接続された各ＬＥＤを所定の点滅パターンで点灯させるためのコンピュータプログラムなどが格納されている。
【００８３】
演出制御用ワークＲＡＭ４０３は、演出制御用ＲＯＭ４０２から読出した上記のコンピュータプログラムを格納し、演出制御用ＭＰＵ４０１が上記のコンピュータプログラムを実行することにより発生する処理結果および判定結果などを読出しおよび書換え可能に格納する。演出制御用ＭＰＵ４０１は、画像音声制御用ＭＰＵ６０１から送信される制御コマンドに従い、駆動回路４１１へ駆動命令を出力して各ソレノイドおよびモータを駆動し、第１振分部材５５および第２振分部材５６などを所定の動作パターンで動作させる。
【００８４】
また、図１７に示す電源基板９４は、主電源９８（ＡＣ／２４Ｖ）から供給される電源を主制御基板１００と、払出制御基板２００と、プリペイド記録媒体読取装置接続端子板７８と、演出電源基板９０（図１８）とに供給する。演出電源基板９０は、電源基板９４から供給される電源を演出電源基板９０と電気的に接続された各基板へ分配する。
【００８５】
［特別図柄遊技処理］
次に、主制御用ＭＰＵ１０１が実行する特別図柄遊技処理の流れについて、それを示す図１９のフローチャートを参照して説明する。以下の説明では、各処理のステップをＳと略す。
【００８６】
主制御用ＭＰＵ１０１は、遊技球が第１始動口２０に入賞したか否かを判定し（Ｓ１）、第１始動口２０に入賞したと判定した場合は（Ｓ１：Ｙｅｓ）、第１開閉部材５１および第２開閉部材５２を１回開閉し、第１大入賞口５１ａおよび第２大入賞口５２ａを１回開閉する（Ｓ２）。また、Ｓ１において、遊技球が第１始動口２０に入賞していないと判定した場合は（Ｓ１：Ｎｏ）、遊技球が第２始動口２１に入賞したか否かを判定し（Ｓ３）、第２始動口２１に入賞したと判定した場合は（Ｓ２：Ｙｅｓ）、第１開閉部材５１および第２開閉部材５２をそれぞれ２回開閉し、第１大入賞口５１ａおよび第２大入賞口５２ａをそれぞれ２回開閉する（Ｓ４）。
【００８７】
続いて、主制御用ＭＰＵ１０１は、特別図柄表示装置３１，３２が変動表示する特別図柄変動パターンを抽選により決定する（Ｓ５）。この実施形態では、カウンタと、特別図柄変動パターンが設定された特別図柄変動パターンテーブルとを用いて特別図柄変動パターンを決定する。カウンタは、０〜９の連続した数値をカウントする。特別図柄変動パターンテーブルには、０〜４の数値と特別図柄変動パターンＡとが対応付けられており、５〜９の数値と特別図柄変動パターンＢとが対応付けられている。
【００８８】
主制御用ＭＰＵ１０１は、Ｓ５を実行するときにカウンタから取得した数値と対応付けられている特別図柄変動パターンを選択する。たとえば、カウンタから取得した数値が３であった場合は、０〜４の数値と対応付けられている特別図柄変動パターンＡを選択する。この実施形態では、カウンタがカウントする数値の半分ずつが各特別図柄変動パターンと対応付けられているため、特別図柄変動パターンＡまたは特別図柄変動パターンＢを選択する確率は５０％である。
【００８９】
続いて、大入賞口開閉パターンを決定する（Ｓ６）。大入賞口開閉パターンは、先のＳ５において決定した特別図柄変動パターンに基づいて決定する。この実施形態では、先のＳ５において決定した特別図柄変動パターンが特別図柄変動パターンＡであった場合は、大入賞口開閉パターンＡに決定し、特別図柄変動パターンＢであった場合は、大入賞口開閉パターンＢに決定する。つまり、大入賞口開閉パターンＡまたは大入賞口開閉パターンＢに決定する確率は５０％である。Ｓ５において決定した特別図柄変動パターンおよびＳ６において決定した大入賞口開閉パターンは、大当りが発生したときに用いる。
【００９０】
［大当り遊技処理］
次に、主制御用ＭＰＵ１０１が実行する大当り遊技処理の流れについて、それを示す図１９および図２０のフローチャートを参照して説明する。なお、以下では、第１大入賞口５１ａおよび第２大入賞口５２ａを大入賞口と略称する。
【００９１】
主制御用ＭＰＵ１０１は、大当り遊技中であるか否かを判定し（Ｓ１０）、大当り遊技中ではないと判定した場合は（Ｓ１０：Ｎｏ）、特別図柄スイッチ５９ａ（図１０）がオンしたか否かを判定する（Ｓ１１）。ここで、特別図柄スイッチ５９ａがオンしたと判定した場合は（Ｓ１１：Ｙｅｓ）、先の特別図柄遊技処理のＳ５（図１９）において決定した特別図柄変動パターンを読出し、それを画像音声制御用ＭＰＵ６０１（図１８）へ送信する（Ｓ１２）。これにより、演出表示器５３（図６）は、Ｓ５において決定された特別図柄変動パターンを表示する。
【００９２】
続いて、大当り遊技のときに実行可能な最大ラウンド数Ｒａをセットし、現在のラウンド数Ｒを０にリセットする（Ｓ１３）。続いて、先の特別図柄遊技処理のＳ６（図１９）において決定した大入賞口開閉パターンを読出し（Ｓ１４）、１ラウンドにおける大入賞口の最大開閉回数Ｎ１をセットし、現在の開閉回数Ｎを０にリセットし、１ラウンドにおいて大入賞口へ入賞可能な最大入賞数Ｐｂをセットし、大入賞口入賞数Ｐａを０にリセットする（Ｓ１５）。
【００９３】
続いて、大入賞口が開口している時間である大入賞口開口時間Ｔａをセットし（Ｓ１６）、先の１４において読出した大入賞口開閉パターンに従って大入賞口を開口する（Ｓ１７）。続いて、大入賞口開口時間Ｔａの計測を開始し（Ｓ１８）、開閉回数Ｎに１を加算する（Ｓ１９）。続いて、遊技球が大入賞口に入賞したか否かを判定し（図２１のＳ２０）、入賞したと判定した場合は（Ｓ２０：Ｙｅｓ）、大入賞口入賞数Ｐａに１を加算する（Ｓ２１）。続いて、大入賞口入賞数Ｐａが大入賞口最大入賞数Ｐｂ以上になったか否かを判定し（Ｓ２２）、大入賞口最大入賞数Ｐｂ以上になっていないと判定した場合は（Ｓ２２：Ｎｏ）、大入賞口開口時間Ｔａが０になったか否かを判定する（Ｓ２３）。
【００９４】
ここで、大入賞口開口時間Ｔａが０になっていないと判定した場合は（Ｓ２３：Ｎｏ）、特定領域スイッチ５９ａがオンしたか否かを判定し（Ｓ２５）、オンしたと判定した場合は（Ｓ２５：Ｙｅｓ）、ラウンドの継続が決定したことを示す継続フラグをオンする（Ｓ２６）。続いて、大入賞口の現在の開閉回数Ｎが大入賞口最大開閉回数Ｎ１に達したか否かを判定し（Ｓ２７）、達していないと判定した場合は（Ｓ２７：Ｎｏ）、Ｓ２０に戻る。また、Ｓ２３において、大入賞口開口時間Ｔａが０になったと判定した場合は（Ｓ２３：Ｙｅｓ）、大入賞口を閉口し（Ｓ２４）、Ｓ１６に戻り、大入賞口の開閉を行う。
【００９５】
また、Ｓ２２において、大入賞口入賞数Ｐａが大入賞口最大入賞数Ｐｂ以上になったと判定した場合（Ｓ２２：Ｙｅｓ）、あるいは、Ｓ２７において、大入賞口の現在の開閉回数Ｎが大入賞口最大開閉回数Ｎ１に達したと判定した場合は（Ｓ２７：Ｙｅｓ）、Ｓ２６を実行することにより継続フラグがオンしているか否かを判定する（Ｓ２８）。ここで、継続フラグがオンしていると判定した場合は（Ｓ２８：Ｙｅｓ）、現在のラウンド数Ｒが最大ラウンド数Ｒａに達したか否かを判定し（Ｓ２９）、最大ラウンド数Ｒａに達していないと判定した場合は（Ｓ２９：Ｎｏ）、Ｓ１４に戻り、大入賞口開閉パターンを実行する。また、Ｓ２８において、継続フラグがオンしていないと判定した場合（Ｓ２８：Ｎｏ）、あるいは、Ｓ２９において、現在のラウンド数Ｒが最大ラウンド数Ｒａに達したと判定した場合は（Ｓ２９：Ｙｅｓ）、大当り遊技を終了する（Ｓ３０）。
【００９６】
［実施形態の効果］
（１）上述したように、この実施形態のパチンコ機１は、大当りが発生したときに大入賞口開閉パターンＡが選択された場合にラウンドが継続される確率が高くなり、大入賞口開閉パターンＢが選択Ｓれた場合にラウンドが継続される確率が低くなることを特徴とする。換言すると、パチンコ機１は、ラウンドが継続される確率が高い大入賞口開閉パターンＡおよびラウンドが継続される確率が低い大入賞口開閉パターンＢのどちらかを選択可能に構成されている。
【００９７】
したがって、パチンコ機１を実施すれば、大当りが発生したときの第１開閉部材５１および第２開閉部材５２の開閉パターンが一定ではないため、面白味を増すことができる。
しかも、遊技者は、大当りが発生したときに、ラウンドの継続確率が高い大入賞口開閉パターンＡが選択されるか否か、スリルのある遊技を楽しむことができる。
【００９８】
（２）さらに、パチンコ機１を実施すれば、第１開閉部材５１および第２開閉部材５２が、大入賞口開閉パターンＡまたは大入賞口開閉パターンＢにて開閉するときに、最初の開閉から最後の開閉までの期間における第１大入賞口５１ａおよび第２大入賞口５２ａの開口時間の延べ時間が、大入賞口開閉パターンＡまたは大入賞口開閉パターンＢ間で同一であるため、第１大入賞口５１ａおよび第２大入賞口５２ａの開口時間の延べ時間が開閉パターン間で異なることに起因する遊技者間の不公平をなくすことができる。
【００９９】
［パチンコ機１の他の特徴］
（１）前述した実施形態のパチンコ機１は、図１６に示したように、大入賞口開閉パターンＡにおける最初（１回目）の大入賞口の開口時間Ｔ１が、２回目から１９回目の各開口時間Ｔ３よりも短く、大入賞口開閉パターンＢにおける最後（１９回目）の大入賞口の開口時間Ｔ１が、１回目から１８回目の各開口時間Ｔ３よりも短いという特徴を有する。
つまり、１ラウンドにおける大入賞口の開口時間の延べ時間が、大入賞口開閉パターンＡ，Ｂ間で同一であるという第１の特徴と、大入賞口の開口タイミングと振分部材の動作タイミングとの時間差を大入賞口開閉パターン間で異ならせることにより、ラウンド継続率の高い大入賞口開閉パターンＡおよび大入賞口開閉パターンＢを選択可能にするという第２の特徴とを有する。この第１および第２の特徴を有するパチンコ機の技術的手段を技術的手段Ａとすると、技術的手段Ａは、次の通りである。
【０１００】
（技術的手段Ａ）
遊技球の流下領域が形成された遊技盤と、
前記流下領域へ遊技球を発射する発射装置と、
前記遊技領域に設けられた遊技球受入れ口と、
前記流下領域に設けられた構造物と、
前記構造物に設けられており、前記流下領域を流下する遊技球を前記構造物の内部へ取込む開口部と、
前記開口部を開閉する開閉部材と、
遊技球が前記遊技球受入れ口に受入れられた場合に前記開閉部材を開閉させる開閉手段と、
前記構造物に形成されており、前記開口部から取込まれた遊技球の流下方向を変化させるために動作する動作体と、
前記開口部から取込まれた遊技球を検出する第１の検出手段と、
前記動作体によって変化された特定の流下方向に流下した遊技球を受入れ可能な特定の遊技球受入れ口と、
前記特定の遊技球受入れ口に受入れられた遊技球を検出する第２の検出手段と、
前記第１の検出手段により遊技球が検出されたときに賞球を払出す賞球払出装置と、を備えており、
前記第２の検出手段により遊技球が検出されたときに前記開閉部材が所定回数連続して開閉動作するパチンコ機において、
前記構造物は、前記開口部から取込まれた遊技球の流下方向が前記開閉部材の開放動作タイミングおよび前記動作体の動作タイミングによって決定され易い構造であり、
前記第２の検出手段により遊技球が検出されたときに前記開閉部材が所定回数連続して開閉する開閉パターンとして、前記開口部から取込まれた遊技球が前記特定の流下方向に流下する確率が高く、かつ、短い開口時間および長い開口時間を組み合わせた第１の開閉パターンと、前記開口部から取込まれた遊技球が前記特定の流下方向に流下する確率が低く、かつ、短い開口時間および長い開口時間を組み合わせた第２の開閉パターンとであって、さらに、前記開閉部材が前記第１または第２の開閉パターンにて所定回数連続して開閉するときに、最初の開閉から最後の開閉までの期間における前記開口部の開口時間の延べ時間は、前記第１および第２の開閉パターン間で同一となるように構成された前記第１および第２の開閉パターンを少なくとも有する複数の開閉パターンが選択可能に設定された開閉パターン設定手段と、
前記開閉パターン設定手段の中から所定の開閉パターンを抽選により選択する開閉パターン選択手段と、を備えており、
前記第２の検出手段により遊技球が検出されたときに、前記開閉パターン選択手段により選択された開閉パターンにて前記開閉部材を開閉させることを特徴とするパチンコ機。
【０１０１】
（技術的手段Ａによる効果）
前述した技術的手段Ａを有するパチンコ機は、本願の請求項１および請求項２に係る発明と共通する技術的手段を有するため、請求項１および請求項２に係る発明と同一の効果を奏することができる。
さらに、技術的手段Ａを有するパチンコ機は、短い開口時間および長い開口時間を組み合わせているため、開閉部材が所定回数連続して開閉するときの最初の開閉から最後の開閉までの期間における開口部の開口時間の延べ時間を第１および第２の開閉パターン間で同じ時間に設定した場合でも、開口部の開口タイミングと動作体の動作タイミングとの時間差を開閉パターン間で異ならせることができる。
【０１０２】
たとえば、図１６に示したように、大入賞口開閉パターンＡにおいて最初（１回目）の大入賞口の開口時間を短い時間Ｔ１に設定するとともに２回目以降の各開口時間を長い時間Ｔ３に設定し、大入賞口開閉パターンＢにおいて最初（１回目）から１８回目の各開口時間を長い時間Ｔ３に設定するとともに最後（１９回目）の開口時間を短い時間Ｔ１に設定すれば、最初の開閉から最後の開閉までの期間における大入賞口の開口時間の延べ時間を開閉パターンＡ，Ｂ間で同一にすることができ、かつ、大入賞口の開口タイミングと振分部材の動作タイミングとの時間差を大入賞口開閉パターンＡ，Ｂ間で異ならせることができる。
【０１０３】
〈他の実施形態〉
（１）前述の実施形態では、大当りが発生したときに、大入賞口を連続して複数回開閉したが、大入賞口を１回のみ開閉することもできる。この場合、大当りが発生したときの大入賞口の開口時間は、遊技球が第１始動口２０または第２始動口２１に入賞したときの開口時間よりも長く、かつ、遊技球が第１大入賞口５１ａまたは第２大入賞口５２ａに入賞したときの開口時間よりも長くする。たとえば、大当りが発生したときに、大入賞口を１回のみ３０秒間開口する。このように、大入賞口の開閉回数が１回のみであるが、開口時間を長くすることにより、その分、大入賞口から入賞した遊技球が特定領域スイッチによって検出され、ラウンド継続の確率が高くなる。
【０１０４】
（２）また、大入賞口の開口時間を複数設定しておき（開口時間設定手段）、その複数の開口時間の中から１つの開口時間を選択し（開口時間選択手段）、大当りが発生したときに、その選択した開口時間にて大入賞口を１回のみ開口させることもできる。この特徴を有するパチンコ機の技術的手段を技術的手段Ｂとすると、技術的手段Ｂは、次の通りである。
【０１０５】
（技術的手段Ｂ）
遊技球の流下領域が形成された遊技盤と、
前記流下領域へ遊技球を発射する発射装置と、
前記遊技領域に設けられた遊技球受入れ口と、
前記流下領域に設けられた構造物と、
前記構造物に設けられており、前記流下領域を流下する遊技球を前記構造物の内部へ取込む開口部と、
前記開口部を開閉する開閉部材と、
遊技球が前記遊技球受入れ口に受入れられた場合に前記開閉部材を開閉させる開閉手段と、
前記構造物に形成されており、前記開口部から取込まれた遊技球の流下方向を変化させるために動作する動作体と、
前記開口部から取込まれた遊技球を検出する第１の検出手段と、
前記動作体によって変化された特定の流下方向に流下した遊技球を受入れ可能な特定の遊技球受入れ口と、
前記特定の遊技球受入れ口に受入れられた遊技球を検出する第２の検出手段と、
前記第１の検出手段により遊技球が検出されたときに賞球を払出す賞球払出装置と、を備えており、
前記第２の検出手段により遊技球が検出されたときに前記開閉部材が開閉動作するパチンコ機において、
前記第２の検出手段により遊技球が検出されたときに前記開閉部材が１回のみ開閉する開閉パターンであって前記開口部が開口する時間がそれぞれ異なる複数の開閉パターンが設定された開閉パターン設定手段と、
前記開閉パターン設定手段の中から所定の開閉パターンを抽選により選択する開閉パターン選択手段と、を備えており、
前記第２の検出手段により遊技球が検出されたときに、前記開閉パターン選択手段により選択された開閉パターンにて前記開閉部材を開閉させることを特徴とするパチンコ機。
【０１０６】
（技術的手段Ｂによる効果）
前述した技術的手段Ｂを有するパチンコ機は、本願の請求項１に係る発明と共通する技術的手段を有するため、請求項１に係る発明と同一の効果を奏することができる。
さらに、技術的手段Ｂを有するパチンコ機は、開口部の開口する時間の長い開閉パターンほど、開口部から取込まれる遊技球の数および取込みタイミングが増加するため、その分、開口部から取込まれた遊技球が第２の検出手段によって検出される確率が高くなるので、遊技者は、開口部の開口する時間の長い開閉パターンが選択されるか否か、スリルを味わうことができる。
【０１０７】
（３）前述の実施形態では、大当りが発生したときに、大入賞口の開閉パターンとして大入賞口開閉パターンＡおよび大入賞口開閉パターンＢのどちらかを選択したが、３種類以上の大入賞口開閉パターンの中から選択するように構成することもできる。この構成を用いる場合、大入賞口の開口タイミングと振分部材の動作タイミングとの時間差が、大入賞口開閉パターン毎に異なるように構成し、ラウンド継続率が大入賞口開閉パターン毎に異なるように構成することもできる。この特徴を有するパチンコ機の技術的手段を技術的手段Ｃとすると、技術的手段Ｃは、次の通りである。
【０１０８】
（技術的手段Ｃ）
遊技球の流下領域が形成された遊技盤と、
前記流下領域へ遊技球を発射する発射装置と、
前記遊技領域に設けられた遊技球受入れ口と、
前記流下領域に設けられた構造物と、
前記構造物に設けられており、前記流下領域を流下する遊技球を前記構造物の内部へ取込む開口部と、
前記開口部を開閉する開閉部材と、
遊技球が前記遊技球受入れ口に受入れられた場合に前記開閉部材を開閉させる開閉手段と、
前記構造物に形成されており、前記開口部から取込まれた遊技球の流下方向を変化させるために動作する動作体と、
前記開口部から取込まれた遊技球を検出する第１の検出手段と、
前記動作体によって変化された特定の流下方向に流下した遊技球を受入れ可能な特定の遊技球受入れ口と、
前記特定の遊技球受入れ口に受入れられた遊技球を検出する第２の検出手段と、
前記第１の検出手段により遊技球が検出されたときに賞球を払出す賞球払出装置と、を備えており、
前記第２の検出手段により遊技球が検出されたときに前記開閉部材が開閉動作するパチンコ機において、
前記構造物は、前記開口部から取込まれた遊技球が前記特定の流下方向に流下する確率が前記開閉部材の開放動作タイミングおよび前記動作体の動作タイミングの時間差によって決定され易い構造であり、
前記第２の検出手段により遊技球が検出されたときに前記開閉部材が開閉する開閉パターンとして、前記開閉部材の開放動作タイミングおよび前記動作タイミングの時間差がそれぞれ異なる複数の開閉パターンが選択可能に設定された開閉パターン設定手段と、
前記開閉パターン設定手段の中から所定の開閉パターンを抽選により選択する開閉パターン選択手段と、を備えており、
前記第２の検出手段により遊技球が検出されたときに、前記開閉パターン選択手段により選択された開閉パターンにて前記開閉部材を開閉させることを特徴とするパチンコ機。
【０１０９】
（技術的手段Ｃによる効果）
前述した技術的手段Ｃを有するパチンコ機を実施すれば、第２の検出手段により遊技球が検出されたときに開閉部材が開閉する開閉パターンとして、開閉部材の開放動作タイミングおよび動作タイミングの時間差がそれぞれ異なる複数の開閉パターンの中から所定の開閉パターンを抽選により選択し、遊技球が特定の遊技球受入れ口に受入れられたときに、上記の選択した開閉パターンにて開閉部材を開閉させることができる。
したがって、遊技球が特定の遊技球受入れ口に受入れられたときの開閉部材の開閉パターンが一定ではないため、面白味を増すことができる。
しかも、遊技者は、特定の流下方向に流下する確率の高い開閉パターンが選択されるか否か、スリルのある遊技を楽しむことができる。
【符号の説明】
【０１１０】
１・・パチンコ機、４・・発射ハンドル、４ｆ・・発射ソレノイド（発射装置）、
５・・遊技盤、１９・・左袖入賞口（遊技球受入れ口）、
２０・・第１始動口（特定の遊技球受入れ口）、
２１・・第２始動口（特定の遊技球受入れ口）、５０・・センター飾り（構造物）、
５１・・第１開閉部材、５１ａ・・第１大入賞口（開口部）、
５１ｂ・・第１大入賞口スイッチ（第１の検出手段）、５２・・第２開閉部材、
５２ａ・・第２大入賞口（開口部）、
５２ｂ・・第２大入賞口スイッチ（第１の検出手段）、
５９・・可動球通路部材（特定の遊技球受入れ口）、
５９ａ・・特定領域スイッチ（第２の検出手段）、８１・・賞球払出装置、
１０２・・主制御用ＲＯＭ（開閉パターン設定手段）、Ｐ・・遊技球。
【図１】
2016007262.tif 000003
【図２】
2016007262.tif 000004
【図３】
2016007262.tif 000005
【図４】
2016007262.tif 000006
【図５】
2016007262.tif 000007
【図６】
2016007262.tif 000008
【図７】
2016007262.tif 000009
【図８】
2016007262.tif 000010
【図９】
2016007262.tif 000011
【図１０】
2016007262.tif 000012
【図１１】
2016007262.tif 000013
【図１２】
2016007262.tif 000014
【図１３】
2016007262.tif 000015
【図１４】
2016007262.tif 000016
【図１５】
2016007262.tif 000017
【図１６】
2016007262.tif 000018
【図１７】
2016007262.tif 000019
【図１８】
2016007262.tif 000020
【図１９】
2016007262.tif 000021
【図２０】
2016007262.tif 000022
【図２１】
2016007262.tif 000023
【図２２】
2016007262.tif 000024